(57)【特許請求の範囲】
【請求項１】
パネルの貫通孔に挿通される電線に固定され、前記パネルの前記電線の軸線方向の一側から他側に向けて前記貫通孔に嵌め込まれることで、前記パネルに前記電線を支持するグロメットであって、
内周が前記電線の外周に装着される長筒部と、
前記電線の周囲を周方向に覆って前記電線の周囲に閉空間を形成する周壁と、
外周端が前記周壁に結合され、内周端が前記長筒部に結合され、前記閉空間を区画する中壁と、を有し、
前記周壁は、前記貫通孔に固定されるパネル固定部を外周に有し、
前記内周端が、前記パネル固定部の位置に対し前記軸線方向の前記他側の位置にある
ことを特徴とするグロメット。
【請求項２】
前記内周端及び前記外周端が、前記軸線方向において互いに異なる位置にある
ことを特徴とする請求項１に記載のグロメット。
【請求項３】
前記外周端が、前記軸線方向において前記パネル固定部と同じ位置にある
ことを特徴とする請求項２に記載のグロメット。
【請求項４】
前記中壁によって区画された２つの閉空間の前記軸線方向の最も長い部分の長さの比が１：２である
ことを特徴とする請求項１又は２に記載のグロメット。
【発明の詳細な説明】
【技術分野】
【０００１】
本発明は、パネルの開口部に通されたワイヤハーネスをパネルに支持するグロメットに関する。
【背景技術】
【０００２】
自動車等の車両の室内と室外とを仕切るパネルの開口部に通されたワイヤハーネスをパネルに支持する部材として、ゴム等の弾性材料から形成されたグロメットが知られている（例えば、特許文献１，２参照）。
【先行技術文献】
【特許文献】
【０００３】
【特許文献１】特開平９−２８９７２４号公報
【特許文献２】特開２０１４−１１７０４６号公報
【発明の概要】
【発明が解決しようとする課題】
【０００４】
ところで、グロメットには、室外からの透過音を抑制することが要求されるが、肉厚を厚くして防音性を高めると、パネルの開口部へ嵌合して組付ける際に必要となる挿入力が増加し、組付け性が低下してしまう。その一方で、グロメットの挿入力が低すぎると、グロメットがパネルの開口部から意図せぬ離脱をする可能性が生じる。
本発明は、上述した事情に鑑みてなされたものであり、その目的は、良好な防音性を確保しつつ組付け時の挿入力の調整を図ることができるグロメットを提供することにある。
【課題を解決するための手段】
【０００５】
前述した目的を達成するために、本発明に係るグロメットは、下記（１）〜（４）を特徴としている。
【０００６】
（１）  パネルの貫通孔に挿通される電線に固定され、前記パネルの前記電線の軸線方向の一側から他側に向けて前記貫通孔に嵌め込まれることで、前記パネルに前記電線を支持するグロメットであって、
内周が前記電線の外周に装着される長筒部と、
前記電線の周囲を周方向に覆って前記電線の周囲に閉空間を形成する周壁と、
外周端が前記周壁に結合され、内周端が前記長筒部に結合され、前記閉空間を区画する中壁と、を有し、
前記周壁は、前記貫通孔に固定されるパネル固定部を外周に有し、
前記内周端が、前記パネル固定部の位置に対し前記軸線方向の前記他側の位置にある
ことを特徴とするグロメット。
（２）  前記内周端及び前記外周端が、前記軸線方向において互いに異なる位置にある
ことを特徴とする（１）に記載のグロメット。
（３）  前記外周端が、前記軸線方向において前記パネル固定部と同じ位置にある
ことを特徴とする（２）に記載のグロメット。
（４）  前記中壁によって区画された２つの閉空間の前記軸線方向の最も長い部分の長さの比が１：２である
ことを特徴とする（１）又は（２）に記載のグロメット。
【０００７】
上記（１）の構成のグロメットによれば、中壁の外周端及び内周端のうち少なくとも一方がパネル固定部から軸線方向において異なる箇所に位置するので、グロメットをパネルの貫通孔に嵌合する際の挿入力を調整できる。したがって、中壁により防音性を高めつつ組付け作業の負担増加を抑制したり、嵌合状態を確実に維持できる。
上記（２）の構成のグロメットによれば、グロメットをパネルの貫通孔に挿入する際に、中壁の外周端が電線側に近づく方向に湾曲しやすくなり、挿入力を低下することができる。
上記（３）の構成のグロメットによれば、閉空間がパネルに対し２つに区画されるので、防音性をより一層高めることができる。
上記（４）の構成のグロメットによれば、区画された２つの閉空間の一方を通過する周波数帯の音が、もう一方の遮音空間では減衰されるので、防音性をより一層高めることができる。
【発明の効果】
【０００８】
本発明によれば、良好な防音性を確保しつつ組付け時の挿入力の調整を図ることができるグロメットを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、グロメットが装着されるダッシュパネルの斜視図である。
【図２】図２は、本発明の第１実施形態に係るグロメットの断面図である。
【図３】図３は、グロメットのパネル固定部の室内側壁部における断面図である。
【図４】図４は、本発明の第１実施形態に係るグロメットのパネルへの組付けについて説明する図であって、図４（ａ）及び図４（ｂ）は、それぞれパネルの開口部への挿入途中におけるグロメットの概略断面図である。
【図５】図５は、参考例に係るグロメットの概略断面図である。
【図６】図６は、本発明の第１実施形態のグロメット及び参考例のグロメットの開口部への挿入時における挿入力を示すグラフである。
【図７】図７は、遮音空間の軸方向の長さを設定する場合の原理説明図で、図７（ａ）は、遮音空間（気柱がモデル）が波長λの音に対して共鳴増幅の機能を果たすときの条件を示す図、図７（ｂ）は、遮音空間（気柱がモデル）が波長λの音を打ち消す機能を果たすときの条件を示す図である。
【図８】図８は、第１実施形態の変形例に係るグロメットの概略断面図である。
【図９】図９は、本発明の第２実施形態に係るグロメットの断面図である。
【図１０】図１０は、本発明の第２実施形態に係るグロメットのパネルへの組付けについて説明する図であって、図１０（ａ）及び図１０（ｂ）は、それぞれパネルの開口部への挿入途中におけるグロメットの概略断面図である。
【図１１】図１１は、第２実施形態の変形例に係るグロメットの概略断面図である。
【発明を実施するための形態】
【００１１】
本発明に関する具体的な実施形態について、各図を参照しながら以下に説明する。
【００１２】
（第１実施形態）
まず、第１実施形態に係るグロメットについて説明する。図１は、グロメットが装着されるダッシュパネルの斜視図である。図２は、本発明の第１実施形態に係るグロメットの断面図である。図３は、グロメットのパネル固定部の室内側壁部における断面図である。
【００１３】
図１及び図２に示すように、グロメット１０は、例えば自動車等の車両のパネルＰに装着される。パネルＰは、エンジンルームと車内との間を仕切るダッシュパネルなどであり、パネルＰによって室内と室外とに仕切られる。グロメット１０は、パネルＰに装着された状態で、軸方向の一方側が室内側とされ、軸方向の他方側が室外側とされている。
【００１４】
パネルＰには、開口部（貫通孔）１が形成されており、この開口部１には、ワイヤハーネスＷＨが挿通される。これにより、ワイヤハーネスＷＨは、パネルＰの表裏にわたって配線されてパネルＰに支持される。ワイヤハーネスＷＨは、例えば、チューブ状の外装に、電線を束ねた電線束を通した構成とされている。
【００１５】
グロメット１０は、ゴムやエラストマ等の弾性材料から形成されており、パネルＰの開口部１に装着される。これにより、パネルＰにワイヤハーネスＷＨが支持されるとともに、グロメット１０によってパネルＰの開口部１がシールされる。このグロメット１０は、長筒部２０と、周壁３０と、パネル固定部４０と、中壁５０とを有している。
【００１６】
長筒部２０は、筒状に形成されており、内周が電線を有するワイヤハーネスＷＨの外周に装着されるようになっている。長筒部２０とワイヤハーネスＷＨとの間には、止水材２１が設けられており、この止水材２１によってワイヤハーネスＷＨの外周と長筒部２０の内周との間が封鎖されて止水され、また、長筒部２０内を伝う透過音が遮られる。
【００１７】
周壁３０は、長筒部２０で覆われたワイヤハーネスＷＨの周囲を周方向に覆ってワイヤハーネスＷＨの周囲に閉空間を形成するもので、２つの周壁部３１，３２を有している。一方の周壁部３１は室内側に設けられ、他方の周壁部３２は、室外側に設けられている。これにより、グロメット１０は、パネルＰに装着されることで、一方の周壁部３１が室内側に配置され、他方の周壁部３２が室外側に配置される。
【００１８】
２つの周壁部３１，３２は、パネルＰの開口部１に固定されるパネル固定部４０の軸方向両側に連設されており、パネル固定部４０から離れるに従い漸次径が窄まる円錐形状（テーパ筒状）に形成されている。それにより、長筒部２０と周壁部３１，３２との間に閉空間である遮音空間Ｓが形成されている。なお、一方の周壁部３１は、他方の周壁部３２よりも軸方向への突出寸法が大きくされている。
【００１９】
また、それぞれの周壁部３１，３２には、パネル固定部４０から最大離間した内周端に、長筒部２０と同心の円筒部３３，３４が設けられている。これらの円筒部３３，３４には、長筒部２０にワイヤハーネスＷＨを通した後に、結束バンドあるいはテープ等の結束部材が巻き付けられる。これにより、円筒部３３，３４は、結束部材で長筒部２０に対して隙間なく締め付けられ、グロメット１０がワイヤハーネスＷＨに固定される。
【００２０】
パネル固定部４０は、パネルＰの開口部１に固定されるもので、周壁３０の外周に設けられている。パネル固定部４０は、グロメット１０の軸方向の中間部に位置するもので、環状に形成されている。図３に示すように、パネル固定部４０は、周方向にわたる係合溝４１を有しており、この係合溝４１にパネルＰの開口部１の縁部が係合されことで、グロメット１０がパネルＰに装着される。パネル固定部４０は、係合溝４１を形成する室内側壁部４３及び室外側壁部４４を有している。室外側壁部４４は、室内側壁部４３よりも径方向外方へ大きく張り出している。室内側壁部４３は、その内周側に、周方向へわたって肉抜き溝部４５を有している。
【００２１】
中壁５０は、周壁３０の内周側に設けられている。中壁５０は、その外周端５１が周壁３０を構成する一方の周壁部３１に結合されている。つまり、中壁５０は、その外周端５１が、パネル固定部４０の位置に対し、ワイヤハーネスＷＨの軸線方向において異なる位置である室内側に配置されている。また、中壁５０は、その内周端５２が長筒部２０に結合されている。内周端５２は、ワイヤハーネスＷＨの軸線方向において、外周端５１と同じ位置に配置されている。これにより、中壁５０は、ワイヤハーネスＷＨの軸線方向に直交するように配置されている。
【００２２】
そして、この中壁５０によって、周壁３０内の閉空間である遮音空間Ｓが２つの遮音空間Ｓ１，Ｓ２に分割されている。中壁５０によって区画された２つの遮音空間Ｓ１，Ｓ２は、その軸方向の最も長い部分の長さＬ１，Ｌ２の比率がＬ１：Ｌ２＝１：２とされている。
【００２３】
次に、上記のグロメット１０をパネルＰに装着してワイヤハーネスＷＨをパネルＰに支持させる場合について説明する。
【００２４】
図４は、第１実施形態に係るグロメットのパネルへの組付けについて説明する図であって、図４（ａ）及び図４（ｂ）は、それぞれパネルの開口部への挿入途中におけるグロメットの概略断面図である。
【００２５】
まず、グロメット１０の長筒部２０にワイヤハーネスＷＨを通し、予め止水材２１を塗布したワイヤハーネスＷＨの所定位置を長筒部２０内に配置させ、円筒部３３，３４を結束部材で結束する。このようにすると、グロメット１０がワイヤハーネスＷＨへ固定され、長筒部２０とワイヤハーネスＷＨとの間が止水材２１でシールされる。
【００２６】
次に、図４（ａ）に示すように、グロメット１０の室内側をパネルＰへ向け、パネルＰの室外側からパネルＰの開口部１へ嵌め込む。すると、グロメット１０の周壁３０を構成する一方の周壁部３１が開口部１内に挿入され、中壁５０がパネルＰの室内側に入り、開口部１の縁部がパネル固定部４０の室内側壁部４３に当接する。
【００２７】
さらに、グロメット１０を開口部１へ嵌め込むと、図４（ｂ）に示すように、開口部１の縁部によってパネル固定部４０が中心側へ押圧されて弾性変形する。このとき、中壁５０は、パネルＰの室内側に配置されているので、パネル固定部４０の中心側への変形に伴って倒れるように弾性変形する。これにより、パネル固定部４０は、中心側へ容易に変形され、パネルＰの開口部１の縁部が室内側壁部４３を越えて係合溝４１へ容易に入り込む。また、室内側壁部４３は、その内周側に周方向へわたる肉抜き溝部４５を有しているので、パネルＰの開口部１の縁部で押圧された際に容易に変形する。これにより、パネルＰの開口部１の縁部は、容易に室内側壁部４３を越えて係合溝４１へ入り込む。
【００２８】
そして、パネルＰがパネル固定部４０の室内側壁部４３を越えて係合溝４１へ入り込むと、パネルＰの開口部１の縁部が室内側壁部４３と室外側壁部４４とで係止される。これにより、ワイヤハーネスＷＨに固定されたグロメット１０がパネルＰに組付けられる。
【００２９】
このように、グロメット１０は、パネルＰの開口部１に嵌め込んで係合溝４１に開口部１の縁部を係合させることでパネルＰに装着され、これにより、ワイヤハーネスＷＨは、グロメット１０によってパネルＰに支持される。そして、パネルＰの開口部１にグロメット１０を嵌め込むと、開口部１がグロメット１０で封鎖されてシールされる。
【００３０】
また、グロメット１０は、遮音空間Ｓを有している。したがって、室外の音は、遮音空間Ｓで低減される。これにより、室外の音が開口部１を通して室内に伝わることが抑制される。特に、グロメット１０は、中壁５０で分割された２つの遮音空間Ｓ１、Ｓ２を有するので、これらの遮音空間Ｓ１，Ｓ２の間での透過音の漏れを確実に防止することができ、防音効果をさらに高めることができる。
【００３１】
ここで、パネル固定部４０に対して中壁５０が室内側に配置された本実施形態に係るグロメット１０、及び、図５に示すように、中壁５０がパネル固定部４０の位置に配置された参考例に係るグロメット１００について、パネルＰへの組付け時における開口部１への挿入力を比較した。その結果を図６に示す。
【００３２】
図６に示すように、パネルＰの開口部１への最大挿入力は、グロメット１０で１３４Ｎ、グロメット１００で２４６Ｎとなった。
【００３３】
このように、中壁５０が室内側に配置された本実施形態に係るグロメット１０では、開口部１への挿入時に中壁５０が倒れるように弾性変形するため、挿入力が低減される。これに対して、中壁５０がパネル固定部４０の位置に配置された参考例に係るグロメット１００では、中壁５０を中心へ向かって圧縮するように力が加わるため、中壁５０が容易に弾性変形せず、挿入力が下がらない。
【００３４】
このように、第１実施形態に係るグロメット１０によれば、中壁５０がパネル固定部４０に対して軸線方向において室内側にずらされ、これにより、中壁５０の外周端５１及び内周端５２がパネル固定部４０から軸線方向において異なる箇所に位置する。これにより、グロメット１０をパネルＰに嵌合する際の弾性変形の容易化を図ることができ、パネルＰの開口部１への挿入力を低減できる。
したがって、中壁５０により防音性を高めつつ組付け作業の負担増加を抑制できる。
【００３５】
ところで、上述のように遮音空間（空気層あるいは空気室とも呼ばれる）を内部に持つグロメットの場合、遮音空間内での音の反射の影響により、音波が打ち消し合ったり、逆に音波の共鳴増幅が発生してしまうことがある。その結果として、グロメットで減衰しやすい周波数や透過しやすい周波数の音が存在することになる。
【００３６】
例えば、音の共鳴増幅が起こる条件を気柱モデルで考えてみる。
図７は、遮音空間の軸方向の長さを設定する場合の原理説明図で、図７（ａ）は、遮音空間（気柱がモデル）が波長λの音に対して共鳴増幅の機能を果たすときの条件を示す図、図７（ｂ）は、遮音空間（気柱がモデル）が波長λの音を打ち消す機能を果たすときの条件を示す図である。
【００３７】
両端閉塞タイプの気柱モデルの場合、図７（ａ）に示すように、波長λの音に対して気柱の長さＬ＝λ／２のとき、両端に節のある定常波が発生し、この条件で共鳴増幅が起こる。また、Ｌ＝（λ／２）・Ｎ（ただし、Ｎ＝１，２，３，・・・）のときに同様のことが起こる。
【００３８】
一方、共鳴増幅の場合と逆の条件を考えると、図７（ｂ）に示すように、波長λの音に対して気柱の長さＬ＝λ／４のとき、反射音による打ち消し作用が発生する。この場合も、Ｌ＝（λ／４）・Ｎ（ただし、Ｎ＝１，３，５，・・・）のときに同様のことが起こる。
【００３９】
上記の二つの条件を別の式で表すと、
・共鳴増幅の条件は  ｆ＝（ｃＮ）／（２Ｌ）  ・・・（１）
・打ち消しの条件は  ｆ＝（ｃＮ）／（４Ｌ）  ・・・（２）
となる。
【００４０】
ただし、ｆ：周波数（Ｈｚ）
Ｌ：遮音空間の軸方向の長さ（ｍ）
ｃ：音速（ｍ／ｓｅｃ）＝約３４０ｍ／ｓ
λ：波長（ｍ）
（１）式のＮはＮ＝１，２，３，・・・
（２）式のＮはＮ＝１，３，５，・・・
である。
【００４１】
以上の気柱モデルで説明した原理によれば、グロメットにおいては、中壁によって複数に分割された遮音空間Ｓ（Ｓ１、Ｓ２）の各打ち消し周波数がいずれも、減衰しようとするターゲット周波数帯域に含まれるようにすることが望ましい。
【００４２】
例えば、室外から室内に透過しようとする音の周波数のうち、透過を抑制したい音の周波数帯域（ターゲット周波数帯域）が２０００〜６０００Ｈｚであるならば、ｆ＝２０００〜６０００とした場合の上記（２）式から求まるＬの長さに、各遮音空間の軸方向の長さを設定すれば、ターゲット周波数帯域の音の透過を効果的に抑制することが可能となる。
【００４３】
その際、複数の遮音空間の間で共鳴増幅の条件が重ならないようにするのがよい。具体的には、複数の遮音空間の軸方向の長さを違えた場合、例えば、大きい遮音空間の打ち消し周波数を３０００Ｈｚ、小さい遮音空間の打ち消し周波数を５０００Ｈｚ、というように異ならせて条件設定をする。
【００４４】
特に、大きい遮音空間の長さと小さい遮音空間の長さの比率を２：１に設定した場合には、一方の遮音空間で共鳴増幅された音を、他方の遮音空間で打ち消すことが可能となる。
【００４５】
同様に、大きい遮音空間の体積と小さい遮音空間の体積の比率を８：１に設定した場合にも、一方の遮音空間で共鳴増幅された音を、他方の遮音空間で打ち消すことが可能となる。
【００４６】
第１実施形態に係るグロメット１０では、中壁５０によって区画された２つの遮音空間Ｓ１，Ｓ２の軸線方向の最も長い部分の長さＬ１，Ｌ２の比率をＬ１：Ｌ２＝１：２としたので、区画された２つの遮音空間Ｓ１，Ｓ２の一方を通過する周波数帯の音が、もう一方の遮音空間では減衰されるので、防音性をより一層高めることができる。
【００４７】
次に、第１実施形態の変形例に係るグロメット１０Ａについて説明する。
図８は、第１実施形態の変形例に係るグロメットの概略断面図である。
図８に示すように、変形例に係るグロメット１０Ａでは、中壁５０の外周端５１が周壁３０を構成する他方の周壁部３２に結合されている。つまり、中壁５０は、その外周端５１が、パネル固定部４０の位置に対しワイヤハーネスＷＨの軸線方向において異なる位置である室外側に配置されている。また、中壁５０の内周端５２は、ワイヤハーネスＷＨの軸線方向において、外周端５１と同じ位置に配置されている。これにより、中壁５０は、ワイヤハーネスＷＨの軸線方向に直交するように配置されている。
【００４８】
そして、この中壁５０によって、周壁３０内の閉空間である遮音空間Ｓが２つの遮音空間Ｓ１，Ｓ２に分割されている。中壁５０によって区画された２つの遮音空間Ｓ１，Ｓ２は、その軸方向の最も長い部分の長さＬ１，Ｌ２の比率が、Ｌ１：Ｌ２＝２：１とされている。
【００４９】
この変形例の場合も、遮音空間Ｓを有し、この遮音空間Ｓが中壁５０で分割されて２つの遮音空間Ｓ１、Ｓ２とされているので、これらの遮音空間Ｓ１，Ｓ２の間での透過音の漏れを確実に防止することができ、高い防音効果を得ることができる。
【００５０】
また、変形例に係るグロメット１０Ａでは、中壁５０がパネル固定部４０に対して軸線方向において室外側にずらされている。中壁５０を室外側にずらすことで、中壁５０は弾性変形しづらくなる。これにより、この変形例では、パネルＰに装着した状態で、パネル固定部４０が中心側へ弾性変形しづらくなり、パネルＰへの係合力を高めることができる。
したがって、中壁５０により防音性を高めつつパネルＰへの組付け強度を高めることができる。
【００５１】
また、第１実施形態の変形例に係るグロメット１０Ａの場合、中壁５０によって区画された２つの遮音空間Ｓ１，Ｓ２の軸線方向の最も長い部分の長さＬ１，Ｌ２の比率をＬ１：Ｌ２＝２：１としたので、区画された２つの遮音空間Ｓ１，Ｓ２の一方を通過する周波数帯の音が、もう一方の遮音空間では減衰されるので、防音性をより一層高めることができる。
【００５２】
（第２実施形態）
次に、第２実施形態に係るグロメットについて説明する。
なお、第１実施形態と同一構成部分については、同一符号を付して説明を省略する。
図９は、本発明の第２実施形態に係るグロメットの断面図である。
【００５３】
図９に示すように、第２実施形態に係るグロメット６０では、中壁５０は、その外周端５１がパネル固定部４０に結合されている。つまり、中壁５０は、その外周端５１が、パネル固定部４０の位置に対しワイヤハーネスＷＨの軸線方向において同じ位置に配置されている。また、中壁５０は、その内周端５２が長筒部２０における室内側に結合されており、ワイヤハーネスＷＨの軸線方向において、外周端５１と異なる位置に配置されている。つまり、中壁５０は、内周端５２及び外周端５１が、軸線方向において互いに異なる位置に配置されている。これにより、中壁５０は、断面視において、ワイヤハーネスＷＨの軸線と直交する面に対して傾けられている。
【００５４】
そして、この中壁５０によって、周壁３０内の閉空間である遮音空間Ｓが２つの遮音空間Ｓ１，Ｓ２に分割されている。中壁５０によって区画された２つの遮音空間Ｓ１，Ｓ２は、それぞれの体積Ｖ１，Ｖ２の比率がＶ１：Ｖ２＝１：８とされている。
【００５５】
次に、上記のグロメット６０をパネルＰに装着してワイヤハーネスＷＨをパネルＰに支持させる場合について説明する。
【００５６】
図１０は、第２実施形態に係るグロメットのパネルへの組付けについて説明する図であって、図１０（ａ）及び図１０（ｂ）は、それぞれパネルの開口部への挿入途中におけるグロメットの概略断面図である。
【００５７】
まず、グロメット１０の長筒部２０にワイヤハーネスＷＨを通し、予め止水材２１を塗布したワイヤハーネスＷＨの所定位置を長筒部２０内に配置させ、円筒部３３，３４を結束部材で結束する。このようにすると、グロメット１０がワイヤハーネスＷＨへ固定され、長筒部２０とワイヤハーネスＷＨとの間が止水材２１でシールされる。
【００５８】
次に、図１０（ａ）に示すように、グロメット６０の室内側をパネルＰへ向け、パネルＰの室外側からパネルＰの開口部１へ嵌め込む。すると、グロメット６０の周壁３０を構成する一方の周壁部３１が開口部１内に挿入され、中壁５０がパネルＰの室内側に入り、開口部１の縁部がパネル固定部４０の室内側壁部４３に当接する。
【００５９】
さらに、グロメット６０を開口部１へ嵌め込むと、図１０（ｂ）に示すように、開口部１の縁部によってパネル固定部４０が中心側へ押圧されて弾性変形する。このとき、中壁５０は、断面視において、ワイヤハーネスＷＨの軸線と直交する面に対して傾けられているので、ワイヤハーネスＷＨに近づく方向であるパネル固定部４０の中心側への変形に伴って湾曲するように容易に弾性変形する。これにより、パネル固定部４０は、中心側へ容易に変形され、パネルＰの開口部１の縁部が室内側壁部４３を越えて係合溝４１へ容易に入り込む。また、室内側壁部４３は、その内周側に周方向へわたる肉抜き溝部４５を有しているので、パネルＰの開口部１の縁部で押圧された際に容易に変形する。これにより、パネルＰの開口部１の縁部は、容易に室内側壁部４３を越えて係合溝４１へ入り込む。
【００６０】
そして、パネルＰがパネル固定部４０の室内側壁部４３を越えて係合溝４１へ入り込むと、パネルＰの開口部１の縁部が室内側壁部４３と室外側壁部４４とで係止される。これにより、ワイヤハーネスＷＨに固定されたグロメット６０がパネルＰに組付けられる。
【００６１】
このように、グロメット６０は、パネルＰの開口部１に嵌め込んで係合溝４１に開口部１の縁部を係合させることでパネルＰに装着され、これにより、ワイヤハーネスＷＨは、グロメット６０によってパネルＰに支持される。そして、パネルＰの開口部１にグロメット６０を嵌め込むと、開口部１がグロメット６０で封鎖されてシールされる。
【００６２】
また、グロメット６０は、遮音空間Ｓを有している。したがって、室外の音は、遮音空間Ｓで低減される。これにより、室外の音が開口部１を通して室内に伝わることが抑制される。特に、グロメット６０は、中壁５０で分割された２つの遮音空間Ｓ１、Ｓ２を有するので、これらの遮音空間Ｓ１，Ｓ２の間での透過音の漏れを確実に防止することができ、防音効果をさらに高めることができる。
【００６３】
しかも、小さい遮音空間Ｓ１の体積Ｖ１と大きい遮音空間Ｓ２の体積Ｖ２との比率をＶ１：Ｖ２＝１：８に設定したことで、一方の遮音空間で共鳴増幅された音を、他方の遮音空間で打ち消すことが可能となり、防音性をより一層高めることができる。
【００６４】
このように、第２実施形態に係るグロメット６０によれば、中壁５０の内周端５２及び外周端５１が、軸線方向において互いに異なる位置にあるので、中壁５０が斜めに配置された状態となる。これにより、グロメット６０をパネルＰの開口部１に挿入する際に、中壁５０の外周端５１がワイヤハーネスＷＨ側に近づく方向に湾曲しやすくなり、パネルＰの開口部１への挿入力を低減できる。
したがって、中壁５０により防音性を高めつつ組付け作業の負担増加を抑制できる。
【００６５】
また、中壁５０の外周端５１が、軸線方向においてパネル固定部４０と同じ位置にあり、閉空間である遮音空間ＳがパネルＰに対し２つに区画されるので、防音性をより一層高めることができる。
【００６６】
なお、上記実施形態では、平板状に形成された中壁５０を備える場合を例示したが、中壁５０としては、環状の波形に形成された波形壁であっても良い。そして、中壁５０を波形壁とすることで、中壁５０の弾性変形をさらに容易にすることができ、パネルＰの開口部１への挿入力を低減させることができる。
【００６７】
また、中壁５０で区画された２つの遮音空間Ｓ１，Ｓ２内には、吸音材を入れても良い。このように、遮音空間Ｓ１，Ｓ２内に吸音材を入れることで、室外から室内へ透過する透過音をさらに吸収することができ、一層高い防音効果を得ることができる。
【００６８】
次に、第２実施形態の変形例に係るグロメット６０Ａについて説明する。
図１１は、第２実施形態の変形例に係るグロメット６０Ａの概略断面図である。
【００６９】
図１１に示すように、変形例に係るグロメット６０Ａでは、周壁部３２の先端側であって、かつ、円筒部３４よりパネル固定部４０側の位置に蛇腹状筒部５５が形成されている。蛇腹状筒部５５は、ワイヤハーネスＷＨの周囲を周方向にワイヤハーネスＷＨの配索形状に沿って覆うようになっている。そのため、パネルＰに対し室外側に延伸するワイヤハーネスＷＨを下向きに配索することにより、蛇腹状筒部５５も下向きに湾曲し、円筒部３４の開口も下向きとなる。これにより、ワイヤハーネスＷＨを伝わる水がグロメット６０Ａ内に浸入することを抑制できる。つまり、蛇腹状筒部５５はグロメット６０Ａの止水構造として機能する。
【００７０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７１】
ここで、上述した本発明に係るグロメットの実施形態の特徴をそれぞれ以下［１］〜［４］に簡潔に纏めて列記する。
［１］  パネル（Ｐ）の貫通孔（開口部１）に挿通される電線（ワイヤハーネスＷＨ）に固定され、前記貫通孔（開口部１）に嵌め込まれることで、前記パネル（Ｐ）に前記電線（ワイヤハーネスＷＨ）を支持するグロメット（１０，１０Ａ，６０）であって、
内周が前記電線（ワイヤハーネスＷＨ）の外周に装着される長筒部（２０）と、
前記電線（ワイヤハーネスＷＨ）の周囲を周方向に覆って前記電線（ワイヤハーネスＷＨ）の周囲に閉空間（遮音空間Ｓ）を形成する周壁（３０）と、
外周端（５１）が前記周壁（３０）に結合され、内周端（５２）が前記長筒部（２０）に結合され、前記閉空間（遮音空間Ｓ）を区画する中壁（５０）と、を有し、
前記周壁（３０）は、前記貫通孔（開口部１）に固定されるパネル固定部（４０）を外周に有し、
前記内周端（５２）及び前記外周端（５１）の少なくとも一方が、前記パネル固定部（４０）の位置に対し前記電線（ワイヤハーネスＷＨ）の軸線方向において異なる位置にある
ことを特徴とするグロメット。
［２］  前記内周端（５２）及び前記外周端（５１）が、前記軸線方向において互いに異なる位置にある
ことを特徴とする［１］に記載のグロメット。
［３］  前記外周端（５１）が、前記軸線方向において前記パネル固定部（４０）と同じ位置にある
ことを特徴とする［２］に記載のグロメット。
［４］  前記中壁（５０）によって区画された２つの閉空間（遮音空間Ｓ１，Ｓ２）の前記軸線方向の最も長い部分の長さ（Ｌ１，Ｌ２）の比が１：２である
ことを特徴とする［１］又は［２］に記載のグロメット。
【符号の説明】
【００７２】
１  貫通孔
１０，１０Ａ，６０  グロメット
２０  長筒部
３０  周壁
４０  パネル固定部
５０  中壁
５１  外周端
５２  内周端
Ｐ  パネル
Ｓ，Ｓ１，Ｓ２  遮音空間
ＷＨ  ワイヤハーネス
【図１】
0006688635.tif 000002
【図２】
0006688635.tif 000003
【図３】
0006688635.tif 000004
【図４】
0006688635.tif 000005
【図５】
0006688635.tif 000006
【図６】
0006688635.tif 000007
【図７】
0006688635.tif 000008
【図８】
0006688635.tif 000009
【図９】
0006688635.tif 000010
【図１０】
0006688635.tif 000011
【図１１】
0006688635.tif 000012